(57)【要約】【課題】座席に水分等をこぼした際に、この座席が汚れることを防止しつつ、その汚れの除去を簡便に行うことのできるカバーを提供することを課題とする。【解決手段】座席（Ｃ）の表面を覆って装着されるカバー１であって、撥水性を有する繊維で織り込まれ、座席の上面および側面を覆う袋状の表面布１ａと、この表面布の開口部に沿って一体に設けられ、この開口部よりも小さな開口部を形成するとともに、座席の底面に接触させられる環状の底面布１ｂとによって構成され、前記表面布の裏面に止水加工が施され、前記底面布が伸縮自在に形成されていることを特徴とする。【選択図】図２
0003181638.tif 000002
【実用新案登録請求の範囲】
【請求項１】
座席の表面を覆って装着されるカバーであって、撥水性を有する繊維で織り込まれ、前記座席の上面および側面を覆う袋状の表面布と、この表面布の開口部に沿って一体に設けられ、この開口部よりも小さな開口部を形成するとともに、前記座席の底面に接触させられる環状の底面布とによって構成され、前記表面布の裏面に止水加工が施され、前記底面布が伸縮自在に形成されていることを特徴とするカバー。
【請求項２】
前記表面布が、ポリエステルとアクリルからなる繊維によって織り込まれて形成されていることを特徴とする請求項１に記載のカバー。
【請求項３】
前記止水加工が、ポリウレタン樹脂を前記表面布の裏面に付着させることによって行われていることを特徴とする請求項１に記載のカバー。
【請求項４】
前記底面布が、ポリエステルとキュプラからなる繊維によって織り込まれて形成されていることを特徴とする請求項１に記載のカバー。
【考案の詳細な説明】
【技術分野】
【０００１】
本考案は、カバーに係わり、特に、幼児や要介護者等が使用する車椅子の座席や家具としての椅子やソファーの座席、あるいは、寝具としてのベッド等に好適に使用されるカバーに関するものである。
【背景技術】
【０００２】
一般に、幼児や要介護者等が使用する前述した座席やベッド等（本考案においては、これらの座席やベッド等を総称して座席とする）にあっては、食事等の飲食時にこぼれた水分が付着し、あるいは、寝小便や失禁等により尿が付着することがしばしばある。
【０００３】
そのために従来では、前記座席を吸水性のカバーで覆っておくことが提案されている（特許文献１参照）。
【先行技術文献】
【特許文献】
【０００４】
【特許文献１】特開２００９−１４２４９５号公報
【考案の概要】
【考案が解決しようとする課題】
【０００５】
前述した従来の技術にあっては、こぼれた水分等をカバーで吸収することにより、座席が汚れてしまうことを抑制する効果が期待できる。
【０００６】
しかしながら、前記カバーは水分等を吸収して汚れた状態であるから、前記カバーを取り替える必要があり、また、このカバーは、再利用のために洗浄等の処理を行う必要がある。
【０００７】
本考案は、前述した従来の技術において残されている問題点に鑑みてなされたもので、座席に水分等をこぼした際に、この座席が汚れることを防止しつつ、その汚れの除去を簡便に行うことのできるカバーを提供することを課題とする。
【課題を解決するための手段】
【０００８】
本考案の請求項１に記載のカバーは、座席の表面を覆って装着されるカバーであって、撥水性を有する繊維で織り込まれ、前記座席の上面および側面を覆う袋状の表面布と、この表面布の開口部に沿って一体に設けられ、この開口部よりも小さな開口部を形成するとともに、前記座席の底面に接触させられる環状の底面布とによって構成され、前記表面布の裏面に止水加工が施され、前記底面布が伸縮自在に形成されていることを特徴とする。
【０００９】
このような構成とすることにより、前記カバーは、前記座席に、その上方から前記底面布を伸ばしつつ被せ、その後に前記底面布を収縮させてこの底面布を前記座席の底面に接触させることにより、前記上面布によって前記座席の上面および側面を覆った状態で前記座席に装着される。
【００１０】
前記表面布は、繊維自体に撥水性を有していることから、水分等が落下した場合、その表面張力が有効に作用して、前記表面布への付着が抑制されるとともにその内部への浸透が抑制される。
したがって、前記表面布の表面を拭くことにより、落下した水分等を容易に除去することができる。
【００１１】
このように、水分等によってカバーが汚れた場合にあっても、その汚れを拭き取ることにより容易に除去することができ、カバーを取り替える必要はない。
【００１２】
一方、落下した水分等に、たとえば何らかの原因で外力が加わった場合、この落下した水分等がカバーに押し付けられるとともに、前記表面布の織り目が拡張されてしまい、その織り目から前記水分等が内部に浸入することが考えられる。
【００１３】
しかしながら、前記表面布の裏面に止水加工が施されていることにより、浸入した水分等が前記表面布を透過してしまうことが防止される。
【００１４】
これらの作用により、前記カバーによって座席を覆っておくことにより、水分等をこぼした場合にあってもカバーの汚れに止め、座席自体を汚すようなことはない。
【００１５】
しかも、通常のカバーの汚れは、拭き取る作業によって簡便に除去することができ、カバーを取り替える必要もない。
【００１６】
仮に、前記カバー内に水分等が浸入したとしても、この水分等が座席自体を汚すことはなく、この場合のみ、前記カバーを取り替えることによって対処可能であり、汚れたカバーにあっては、洗浄処理等によって再使用可能である。
【００１７】
そして、請求項２に記載のように、前記表面布を、ポリエステルとアクリルからなる繊維を織ることによって形成することにより、前述した撥水性を有効に実現することができ、また、請求項３に記載のように、前記止水加工を、ポリウレタン樹脂を前記表面布の裏面に付着させることによって行うことにより、容易に止水作用を得ることができる。
【００１８】
また、本考案の請求項４に記載のカバーは、請求項１に記載の前記底面布が、ポリエステルとキュプラからなる繊維によって織り込まれて形成されていることを特徴としている。
【００１９】
このような構成とすることにより、前記底面布に適度な弾性を付与することができ、前記カバーの前記座席への着脱を容易にするとともに、前記表面布と前記座席とのずれを効果的に防止することができる。
【考案の効果】
【００２０】
本考案のカバーによれば、落下した水分等の付着を極力防止してその除去を容易にし、また、落下した水分等がカバー内に浸入したとしても、この水分等が座席へ接触することを防止することができる。
したがって、座席の汚れを防止することができる。
【図面の簡単な説明】
【００２１】
【図１】本考案の一実施形態の表面を示す外観斜視図である。
【図２】本考案の一実施形態の裏面を示す外観斜視図である。
【図３】本考案の一実施形態を示すもので、要部の拡大縦断面図である。
【図４】本考案の一実施形態を示すもので、座席への装着手順を示す斜視図である。
【考案を実施するための形態】
【００２２】
以下、本考案の一実施形態を、図面を参照して説明する。
図１中、符号１は本実施形態に係わるカバーを示し、本実施形態においては、ソファーや車椅子の座席として使用されるクッションＣ（図２参照）に適用した例を示した。
【００２３】
前記カバー１は、クッションＣの表面を覆って装着されるものであって、撥水性を有する繊維で織り込まれ、前記クッションＣの上面および側面を覆う袋状の表面布１ａと、この表面布１ａの開口部に沿って一体に設けられ、この開口部よりも小さな開口部を形成するとともに、前記クッションＣの底面に接触させられる環状の底面布１ｂとによって構成され、前記表面布１ａの裏面に止水加工が施され、前記底面布が伸縮自在に形成されている。
【００２４】
前記表面布１ａは、ポリエステル５６重量％とアクリル４４重量％からなる繊維によって織り込まれて形成されて、これらの繊維自体の特性および編み目の特性の相乗作用により、前述した撥水作用が付与されている。
【００２５】
前記表面布１ａの裏面には、ポリウレタン樹脂を付着させることによって形成された止水層２が設けられている。
【００２６】
前記底面布１ｂは、ポリエステル８７重量％とキュプラ１３％からなる繊維によって織り込まれて形成されていることにより、前述したような伸縮性が付与されている。
【００２７】
また、前記底面布１ｂの内周部Ｗには、図示しない紐状のゴムが内装されており、このゴムによって前記内周部Ｗが、その内周を狭める方向に付勢されている。
【００２８】
このように構成された本実施形態のカバー１は、図４に示すように、前記底面布１ｂを伸ばしてその内周部Ｗを開いておき、その内周部Ｗの内側に前記クッションＣを挿入した後に、このクッションＣの裏面の外周部に前記底面布１ｂを接触させることによって、このクッションＣを覆うようにして装着される（図２参照）。
【００２９】
このようにして本実施形態に係わるカバー１が装着されたクッションＣは、図１に示すように、前記カバー１を上方にして使用に供される。
【００３０】
そして、水分等が落下した場合、この水分等は前記カバー１の表面布１ａ上へ落下する。
ここで、前記表面布１ａは撥水性を有していることから、前述したように落下させられた水分等は、その表面張力が有効に作用し、これによって、図３に符号Ｌで示すように、前記表面布１ａ上に浮いた状態に保持されて、この表面布１ａへの付着が防止される。
【００３１】
この状態で、雑巾等によって前記カバー１の表面を拭くことにより、前記水分Ｌ等を容易に除去することができる。
【００３２】
このように、クッションＣへ向けて水分等が落下した場合にあっても、前記カバー１によって前記クッションＣが汚れることを防止することができる。
【００３３】
一方、水分等によってカバー１が汚れた場合にあっても、前述したように、その汚れを拭き取ることにより容易に除去することができ、カバー１を取り替える必要はない。
【００３４】
仮に、落下した水分等が、何等かの原因で、前記カバー１の内部に、その織り目から浸入したとしても、前記表面布１ａの裏面に形成されている止水層２により前記浸入した水分等の移動が阻止され、前記表面布１ａを透過してしまうことが防止される。
したがって、前記クッションＣ自体を汚すようなことはない。
【００３５】
また、前記カバー１内に水分等が浸入した場合のみ、前記カバー１を取り替えることによって対処可能であり、この汚れたカバー１にあっては、洗浄処理等によって再使用可能である。
【００３６】
このように、本実施形態に係わるカバー１は、飲食行為が不自由な幼児や要介護者が使用するに座席に用いて、極めて大きい効果が得られる。
そして、前記座席は、家具や車椅子の座席あるいは寝具としてのベッド等を含むものであり、また、大人や健常者が使用する座席にも使用可能であることは勿論である。
【符号の説明】
【００３７】
１  カバー
１ａ  表面布
１ｂ  底面布
２  止水層
Ｃ  クッション（座席）
Ｗ  内周部
【図１】
0003181638.tif 000003
【図２】
0003181638.tif 000004
【図３】
0003181638.tif 000005
【図４】
0003181638.tif 000006